(57)【要約】【課題】高額物件のカードによる決済を可能とする与信限度額を超える高額物件のカード決済システム及び方法を提供する。【解決手段】カード取引を行うためのカード決済処理システム１２とカード取引を管理するホストコンピュータ２２とカード決済処理システムとホストコンピュータとの間の取引情報を中継する取引仲介システム１６とがネットワークに接続され、カード決済処理システム１２で、与信限度額を超えるカード取引を行った際に、ホストコンピュータ２２から取引仲介システム１６の管理者の取引仲介業者に取引代金額を請求するための処理を実行し、取引仲介業者が取引代金額をカード会社に入金すると、ホストコンピュータ２２が、カード決済手数料額を取引代金額から減算処理した金額を取引仲介業者に入金処理するとともに、カード会員１０に特典を付与する処理を実行する。【選択図】        図２
2004348621.tif 000002
【特許請求の範囲】
【請求項１】
カード取引を行うためのカード決済処理システムと、カード取引を管理するホストコンピュータと、前記カード決済処理システムと前記ホストコンピュータとの間の取引情報を中継する取引仲介システムとを有し、前期カード決済処理システムと前記取引仲介システム及び前記ホストコンピュータと前記取引仲介システムがそれぞれ別のネットワークに接続された与信限度額を超える高額物件のカード決済システムであって、
前記カード決済処理システムは、カード取引を行った際に、カード会員番号及び取引代金額を含む取引情報を前記取引仲介システムに送信し、
前記取引仲介システムは、前記カード決済処理システムから受信した取引情報を記憶し、記憶した取引情報に関して前記ホストコンピュータから取引代金額の請求情報を受けとった際に、前記ホストコンピュータが管理する口座への前記取引代金額の入金に必要な処理を実行する取引情報処理システムと、前記ホストコンピュータに取引情報を送信する取引情報中継システムと、を備え、
前記ホストコンピュータは、カード会員番号、カード会員毎の与信限度額及びカード決済手数料額又はカード決済手数料率を記憶しているとともに、前記取引仲介システムから受信した取引情報を記憶する記憶手段と、
前記取引情報に含まれるカード会員番号に基づいて当該カード会員の与信限度額を前記記憶手段から読出し、前記取引情報に含まれる取引代金額と前記与信限度額とを比較して前記取引代金額が前記与信限度額を超えているか否かの判定結果である取引代金額判定情報を出力する決済システムと、
前記取引代金額判定情報が与信限度額超過であるときに、前記取引情報に含まれる取引代金額を読出して前記取引仲介システムへ送付される前記取引代金額の請求情報を出力し、かつその入金を管理する取引代金請求システムと、
前記取引代金請求システムが前記取引代金額の入金を確認したときに、前記取引代金額から前記カード決済手数料額又は前記取引代金額にカード決済手数料率を乗じた額を減算処理し、前記取引仲介システムが管理する口座への減算処理後の金額の入金に必要な処理を実行する取引代金精算システムと、
前記取引代金請求システムが前記取引代金額の入金を確認したときに、カード会員に予め定められた特典サービスを受ける権利を付与する情報を前記記憶手段に記憶させる特典付与システムと、
を備えることを特徴とする与信限度額を超える高額物件のカード決済システム。
【請求項２】
請求項１記載の与信限度額を超える高額物件のカード決済システムにおいて、前記決済システムは、カード決済の可否の判定結果である決済可否情報を出力し、
前記取引仲介システムは、前記決済可否情報が決済可のときに、前記カード決済処理システムに仲介手数料額の請求情報を出力し、かつその入金を管理することを特徴とする与信限度額を超える高額物件のカード決済システム。
【請求項３】
請求項１記載の与信限度額を超える高額物件のカード決済システムにおいて、前記決済システムは、カード決済の可否の判定結果である決済可否情報を出力し、
前記取引仲介システムは、前記決済可否情報が決済可のときに、前記カード決済処理システムに前記取引代金額の請求情報を出力し、その入金を確認したときに、前記取引代金額に仲介手数料率を乗じた額または所定の仲介手数料額を前記取引代金額から減算処理し、前記カード決済処理システムが管理する口座への減算処理後の金額の入金に必要な処理を実行することを特徴とする与信限度額を超える高額物件のカード決済システム。
【請求項４】
カード取引を行うためのカード決済処理システムと、カード取引を管理するホストコンピュータとがネットワークに接続された与信限度額を超える高額物件のカード決済システムであって、
前記カード決済処理システムは、カード取引を行った際に、カード会員番号及び取引代金額を含む取引情報を前記ホストコンピュータに送信し、前記取引情報に関して前記ホストコンピュータから取引代金額の請求情報を受けとった際に、前記ホストコンピュータが管理する口座への前記取引代金額の入金に必要な処理を実行し、
前記ホストコンピュータは、カード会員番号、カード会員毎の与信限度額及びカード決済手数料額又はカード決済手数料率を記憶しているとともに、前記カード決済処理システムから受信した取引情報を記憶する記憶手段と、
前記取引情報に含まれるカード会員番号に基づいて当該カード会員の与信限度額を前記記憶手段から読出し、前記取引情報に含まれる取引代金額と前記与信限度額とを比較して前記取引代金額が前記与信限度額を超えているか否かの判定結果である取引代金額判定情報を出力する決済システムと、
前記取引代金額判定情報が与信限度額超過であるときに、前記取引情報に含まれる取引代金額を読出して前記カード決済処理システムへ送付される前記取引代金額の請求情報を出力し、かつその入金を管理する取引代金請求システムと、
前記取引代金請求システムが前記取引代金額の入金を確認したときに、前記取引代金額から前記カード決済手数料額又は前記取引代金額にカード決済手数料率を乗じた額を減算処理し、前記カード決済処理システムが管理する口座への減算処理後の金額の入金に必要な処理を実行する取引代金精算システムと、
前記取引代金請求システムが前記取引代金額の入金を確認したときに、カード会員に予め定められた特典サービスを受ける権利を付与する情報を前記記憶手段に記憶させる特典付与システムと、
を備えることを特徴とする与信限度額を超える高額物件のカード決済システム。
【請求項５】
請求項４記載の与信限度額を超える高額物件のカード決済システムにおいて、前記カード決済処理システムと前記ホストコンピュータとの間には、取引情報を中継する取引情報中継システムが備えられていることを特徴とする与信限度額を超える高額物件のカード決済システム。
【請求項６】
請求項１から請求項５のいずれか一項記載の与信限度額を超える高額物件のカード決済システムにおいて、前記記憶手段には、前記カード決済処理システムが与信限度額を超える高額物件のカード決済を許可された端末であるか否かの情報が記憶され、前記決済システムは、前記取引代金額判定情報を出力する前に、前記情報に基づき当該カード決済処理システムによる与信限度額を超える高額物件のカード決済の可否を判断することを特徴とする与信限度額を超える高額物件のカード決済システム。
【請求項７】
外部の高額物件販売業者または取引仲介業者からカード会員番号及び取引代金額を含むカード取引に関する取引情報を受け取り、これを記憶するとともに、カード会員番号、カード会員毎の与信限度額及びカード決済手数料額又はカード決済手数料率を記憶している記憶手段と、
前記取引情報に含まれるカード会員番号に基づいて当該カード会員の与信限度額を前記記憶手段から読出し、前記取引情報に含まれる取引代金額と前記与信限度額とを比較して前記取引代金額が前記与信限度額を超えているか否かの判定結果である取引代金額判定情報を出力する決済システムと、
前記取引代金額判定情報が与信限度額超過であるときに、前記取引情報に含まれる取引代金額を読出して前記高額物件販売業者または取引仲介業者へ送付される前記取引代金額の請求情報を出力し、かつその入金を管理する取引代金請求システムと、
前記取引代金請求システムが前記取引代金額の入金を確認したときに、前記取引代金額から前記カード決済手数料額又は前記取引代金額にカード決済手数料率を乗じた額を減算処理し、前記高額物件販売業者または取引仲介業者が管理する口座への減算処理後の金額の入金に必要な処理を実行する取引代金精算システムと、
前記取引代金請求システムが前記取引代金額の入金を確認したときに、カード会員に予め定められた特典サービスを受ける権利を付与する情報を前記記憶手段に記憶させる特典付与システムと、
を備えることを特徴とする与信限度額を超える高額物件のカード決済のための装置。
【請求項８】
カード会員番号、カード会員毎の与信限度額及びカード決済手数料額又はカード決済手数料率を記憶している記憶手段をカード会社が管理するホストコンピュータに設け、
カード取引を行うためのカード決済処理システムからカード会員番号及び取引代金額を含む取引情報を前記ホストコンピュータが受け取ると、前記取引情報に含まれるカード会員番号に基づいて当該カード会員の与信限度額を前記記憶手段から取得し、前記取引情報に含まれる取引代金額と前記与信限度額とを比較して前記取引代金額が前記与信限度額を超えているか否かの判定結果である取引代金額判定情報を発生し、
前記取引代金額判定情報が与信限度額超過であるときに、前記ホストコンピュータが前記取引情報に含まれる取引代金額の請求処理を行い、かつその入金を管理し、
前記取引代金額の入金が確認されたときに、前記ホストコンピュータが、前記取引代金額から前記カード決済手数料額又は前記取引代金額にカード決済手数料率を乗じた額を減算処理し、前記入金者が管理する口座への減算処理後の金額の入金に必要な処理を実行し、
前記取引代金額の入金が確認されたときに、カード会員に予め定められた特典サービスを受ける権利を付与する情報を前記記憶手段に記憶させることを特徴とする与信限度額を超える高額物件のカード決済方法。
【発明の詳細な説明】
【０００１】
【発明の属する技術分野】
本発明は、通常のクレジットカード等のカード決済における与信限度額を超える高額物件のカード決済を可能とするカード決済システム及びカード決済方法に関する。
【０００２】
【従来の技術】
従来のクレジットカード等を使用するカード決済においては、カード会員であるカード保持者毎に与信限度額が決められており、カードを使用した取引すなわちカード取引は、この与信限度額の範囲内で行われるようになっていた。このように、与信限度額が設定されるのは、カード会員による取引が行われた後カード会員から支払を受領するまでの間にカード会社が負うカード会員の信用リスクを限定するためである。
【０００３】
このため、例えば特許文献１に、カード取引を行う際のカードの利用限度額（与信限度額）管理方法が開示されている。
【０００４】
【特許文献１】特開２００２−２０３１８８号公報
【０００５】
【発明が解決しようとする課題】
しかし、上記従来の技術のように、カード取引に与信限度額が設定されていると、カード会員は与信限度額を超える決済にカードを使用できず、決済方法が限定されるとともに、カード会社はカード会員が行う高額決済取引に関与する機会を損失するという問題があった。
【０００６】
本発明は、上記従来の課題に鑑みなされたものであり、その目的は、高額物件のカードによる決済を可能とする与信限度額を超える高額物件のカード決済システム及び方法を提供することにある。
【０００７】
【課題を解決するための手段】
上記目的を達成するために、本発明は、カード取引を行うためのカード決済処理システムと、カード取引を管理するホストコンピュータと、カード決済処理システムとホストコンピュータとの間の取引情報を中継する取引仲介システムとを有し、カード決済処理システムと取引仲介システム及びホストコンピュータと取引仲介システムがそれぞれ別のネットワークに接続された与信限度額を超える高額物件のカード決済システムであって、カード決済処理システムは、カード取引を行った際に、カード会員番号及び取引代金額を含む取引情報を取引仲介システムに送信し、取引仲介システムは、カード決済処理システムから受信した取引情報を記憶し、記憶した取引情報に関してホストコンピュータから取引代金額の請求情報を受けとった際に、ホストコンピュータが管理する口座への取引代金額の入金に必要な処理を実行する取引情報処理システムと、ホストコンピュータに取引情報を送信する取引情報中継システムと、を備え、ホストコンピュータは、カード会員番号、カード会員毎の与信限度額及びカード決済手数料額又はカード決済手数料率を記憶しているとともに、取引仲介システムから受信した取引情報を記憶する記憶手段と、取引情報に含まれるカード会員番号に基づいて当該カード会員の与信限度額を記憶手段から読出し、取引情報に含まれる取引代金額と与信限度額とを比較して取引代金額が与信限度額を超えているか否かの判定結果である取引代金額判定情報を出力する決済システムと、取引代金額判定情報が与信限度額超過であるときに、取引情報に含まれる取引代金額を読出して取引仲介システムへ送付される取引代金額の請求情報を出力し、かつその入金を管理する取引代金請求システムと、取引代金請求システムが取引代金額の入金を確認したときに、取引代金額からカード決済手数料額又は取引代金額にカード決済手数料率を乗じた額を減算処理し、取引仲介システムが管理する口座への減算処理後の金額の入金に必要な処理を実行する取引代金精算システムと、取引代金請求システムが取引代金額の入金を確認したときに、カード会員に予め定められた特典サービスを受ける権利を付与する情報を記憶手段に記憶させる特典付与システムと、を備えることを特徴とする。
【０００８】
上記構成によれば、与信限度額を超える高額物件につきカード取引が行われたときに、取引仲介システムとホストコンピュータとの間で現金決済が行われるので、カード会社がカード会員の信用リスクを負う必要がなくなる。このため、カード会社は与信限度額を超える高額物件につきカードによる決済をリスクを負わずに認めることが可能となる。また、カード会員は、与信限度額を超える取引代金額に対応する特典サービスを受けることができる。
【０００９】
また、上記与信限度額を超える高額物件のカード決済システムにおいて、決済システムは、カード決済の可否の判定結果である決済可否情報を出力し、取引仲介システムは、決済可否情報が決済可のときに、カード決済処理システムに仲介手数料額の請求情報を出力し、かつその入金を管理することを特徴とする。
【００１０】
また、上記与信限度額を超える高額物件のカード決済システムにおいて、決済システムは、カード決済の可否の判定結果である決済可否情報を出力し、取引仲介システムは、決済可否情報が決済可のときに、カード決済処理システムに取引代金額の請求情報を出力し、その入金を確認したときに、取引代金額に仲介手数料率を乗じた額または所定の仲介手数料額を取引代金額から減算処理し、カード決済処理システムが管理する口座への減算処理後の金額の入金に必要な処理を実行することを特徴とする。
【００１１】
上記各構成によれば、仲介手数料の決済の管理を簡易に行うことができる。
【００１２】
また、カード取引を行うためのカード決済処理システムと、カード取引を管理するホストコンピュータとがネットワークに接続された与信限度額を超える高額物件のカード決済システムであって、カード決済処理システムは、カード取引を行った際に、カード会員番号及び取引代金額を含む取引情報をホストコンピュータに送信し、その取引情報に関してホストコンピュータから取引代金額の請求情報を受けとった際に、ホストコンピュータが管理する口座への取引代金額の入金に必要な処理を実行し、ホストコンピュータは、カード会員番号、カード会員毎の与信限度額及びカード決済手数料額又はカード決済手数料率を記憶しているとともに、カード決済処理システムから受信した取引情報を記憶する記憶手段と、取引情報に含まれるカード会員番号に基づいて当該カード会員の与信限度額を記憶手段から読出し、取引情報に含まれる取引代金額と与信限度額とを比較して取引代金額が与信限度額を超えているか否かの判定結果である取引代金額判定情報を出力する決済システムと、取引代金額判定情報が与信限度額超過であるときに、取引情報に含まれる取引代金額を読出してカード決済処理システムへ送付される取引代金額の請求情報を出力し、かつその入金を管理する取引代金請求システムと、取引代金請求システムが取引代金額の入金を確認したときに、取引代金額からカード決済手数料額又は取引代金額にカード決済手数料率を乗じた額を減算処理し、カード決済処理システムが管理する口座への減算処理後の金額の入金に必要な処理を実行する取引代金精算システムと、取引代金請求システムが取引代金額の入金を確認したときに、カード会員に予め定められた特典サービスを受ける権利を付与する情報を前記記憶手段に記憶させる特典付与システムと、を備えることを特徴とする。ここで、カード決済処理システムとホストコンピュータとの間には、取引情報を中継する取引情報中継システムが備えられていてもよい。
【００１３】
上記各構成によれば、与信限度額を超える高額物件につきカード取引が行われたときに、カード決済処理システムとホストコンピュータとの間で現金決済が行われるので、カード会社がカード会員の信用リスクを負う必要がなくなる。このため、カード会社は与信限度額を超える高額物件につきカードによる決済をリスクを負わずに認めることが可能となる。また、カード会員は、与信限度額を超える取引代金額に対応する特典サービスを受けることができる。
【００１４】
また、上記各与信限度額を超える高額物件のカード決済システムにおいて、記憶手段には、カード決済処理システムが与信限度額を超える高額物件のカード決済を許可された端末であるか否かの情報が記憶され、決済システムは、取引代金額判定情報を出力する前に、上記情報に基づき当該カード決済処理システムによる与信限度額を超える高額物件のカード決済の可否を判断することを特徴とする。
【００１５】
上記構成によれば、カード決済処理システムが与信限度額を超える高額物件のカード決済を許可された端末であるか否かをホストコンピュータ側で判断できるので、カード取引の安全を確保することができる。
【００１６】
また、与信限度額を超える高額物件のカード決済のための装置であって、外部の高額物件販売業者または取引仲介業者からカード会員番号及び取引代金額を含むカード取引に関する取引情報を受け取り、これを記憶するとともに、カード会員番号、カード会員毎の与信限度額及びカード決済手数料額又はカード決済手数料率を記憶している記憶手段と、取引情報に含まれるカード会員番号に基づいて当該カード会員の与信限度額を記憶手段から読出し、取引情報に含まれる取引代金額と与信限度額とを比較して取引代金額が与信限度額を超えているか否かの判定結果である取引代金額判定情報を出力する決済システムと、取引代金額判定情報が与信限度額超過であるときに、取引情報に含まれる取引代金額を読出して高額物件販売業者または取引仲介業者へ送付される取引代金額の請求情報を出力し、かつその入金を管理する取引代金請求システムと、取引代金請求システムが取引代金額の入金を確認したときに、取引代金額からカード決済手数料額又は取引代金額にカード決済手数料率を乗じた額を減算処理し、高額物件販売業者または取引仲介業者が管理する口座への減算処理後の金額の入金に必要な処理を実行する取引代金精算システムと、取引代金請求システムが取引代金額の入金を確認したときに、カード会員に予め定められた特典サービスを受ける権利を付与する情報を記憶手段に記憶させる特典付与システムと、を備えることを特徴とする。
【００１７】
上記構成によれば、与信限度額を超える高額物件のカード決済に使用されるホストコンピュータを実現できる。
【００１８】
また、与信限度額を超える高額物件のカード決済方法であって、カード会員番号、カード会員毎の与信限度額及びカード決済手数料額又はカード決済手数料率を記憶している記憶手段をカード会社が管理するホストコンピュータに設け、カード取引を行うためのカード決済処理システムからカード会員番号及び取引代金額を含む取引情報をホストコンピュータが受け取ると、取引情報に含まれるカード会員番号に基づいて当該カード会員の与信限度額を記憶手段から取得し、取引情報に含まれる取引代金額と与信限度額とを比較して取引代金額が与信限度額を超えているか否かの判定結果である取引代金額判定情報を発生し、取引代金額判定情報が与信限度額超過であるときに、ホストコンピュータが取引情報に含まれる取引代金額の請求処理を行い、かつその入金を管理し、取引代金額の入金が確認されたときに、ホストコンピュータが、取引代金額からカード決済手数料額又は取引代金額にカード決済手数料率を乗じた額を減算処理し、入金者が管理する口座への減算処理後の金額の入金に必要な処理を実行し、取引代金額の入金が確認されたときに、カード会員に予め定められた特典サービスを受ける権利を付与する情報を前記記憶手段に記憶させることを特徴とする。
【００１９】
上記構成によれば、与信限度額を超える高額物件のカード決済に使用される方法を提供できる。
【００２０】
【発明の実施の形態】
以下、本発明の実施の形態（以下実施形態という）を、図面に従って説明する。
【００２１】
実施形態１．
図１には、本発明の実施形態１にかかる与信限度額を超える高額物件のカード決済システムの全体図が示される。図１において、カード取引を行うためのカード決済処理システム１２と、カード取引を管理するホストコンピュータ２２と、カード決済処理システム１２とホストコンピュータ２２との間の取引情報を中継する取引仲介システム１６と、により本実施形態にかかる与信限度額を超える高額物件のカード決済システムが構成されている。カード決済処理システム１２と取引仲介システム１６とはネットワーク１００に接続され、ホストコンピュータ２２と取引仲介システム１６とはネットワーク１０１に接続されている。ネットワーク１００としては、公衆回線網、インターネット等の既存のネットワークを使用できる。また、ネットワーク１０１としては、公衆回線網又は専用回線等で構成するクローズネットワークが使用される。
【００２２】
図２は、本発明にかかる与信限度額を超える高額物件のカード決済システムの実施形態１を示す構成のブロック図である。図２において、カード会員１０は、自分が会員となっているカードを使用して取引の決済を行う場合、高額物件販売業者が管理する所定のカード決済用端末１１に、所持するカードに記録された情報を読み取らせる。この情報には、例えばカード会員１０を識別する識別番号であるカード会員番号が含まれる。カード決済用端末１１で読み取った情報はオンラインでカード決済情報処理システム１３に送信されるか、ディスク媒体、キーボード入力等オフラインでカード決済情報処理システム１３に入力される。以上に述べた、カード決済用端末１１及びカード決済情報処理システム１３により、本発明にかかるカード決済処理システム１２が構成される。カード決済情報処理システム１３は、カード決済処理システム１２における情報の授受及び情報処理を実行するためのシステムである。なお、カード決済処理システム１２においては、カード決済情報処理システム１３が無い構成も可能である。カード決済情報処理システム１３を備えない場合には、カード決済処理システム１２はカード決済用端末１１のみで構成され、後述する取引情報の発信及び決済可否情報、カード決済処理の内容の受信とその出力を行う。その他の処理は、カード決済用端末１１の管理者である高額物件販売業者が行い、所定の情報を取引仲介システム１６の管理者である取引仲介業者との間で授受する。
【００２３】
カード決済処理システム１２は、上記カード取引を行った際に、カード決済用端末１１で読み取ったカード会員番号、所定の入力装置１４から入力された取引代金額及びカード決済処理システム１２のＩＤを含む取引情報を、カード決済情報処理システム１３を使用して取引仲介システム１６に送信する。取引仲介システム１６は、取引情報中継システム１８と取引情報処理システム２０とで構成されている。カード決済処理システム１２から送信された取引情報は、取引情報中継システム１８で受信され、取引情報処理システム２０の有するディスク装置その他の記憶装置に記憶される。また、この取引情報は、取引情報中継システム１８からカード会社が管理するホストコンピュータ２２に送信される。なお、取引情報処理システム２０の有する記憶装置には、上記取引情報の他、仲介手数料額、仲介手数料率及びカード決済処理システム１２に関する属性情報、例えばカード決済処理システム１２が設置された店舗名、カード決済処理システム１２の管理者である店舗の代表者の氏名または名称、電話番号等のカード決済処理システム１２が設置された場所や利用者等を特定するのに必要な情報及びカード決済処理システム１２が与信限度額を超える高額物件のカード決済を許可された端末であるか否かの情報も記憶されている。
【００２４】
取引代金額がカードの与信限度額を超える高額取引の場合には、上記カード決済用端末１１にカードに記録された情報を読み取らせる等のカードによる手続に加え、カード会員１０がカード決済処理システム１２の管理者である高額物件販売業者に、所定の手数料を含む取引代金額を現金で支払う。これにより、カード決済の場合に通常発生する手続処理に要する時間分の、高額物件販売業者に対する現金支払いの遅れが無くなる。このため、例えば不動産取引の場合の、支払いと登記具備との同時履行も支障なく満たすことができる。また、カード会員１０及びカード決済処理システム１２が与信限度額を超える高額物件のカード決済を行うためには、予めカード会社と所定の契約を締結しておく。上記取引情報には、カード会員１０が所定の手数料を含む取引代金額の現金を支払済みか否かの情報を含ませてもよい。
【００２５】
また、取引情報処理システム２０は、上記記憶した取引情報に関してホストコンピュータ２２から後述する取引代金額の請求情報を受けとった際に、ホストコンピュータ２２が管理するカード会社の銀行口座へ、取引代金額を入金するために必要な処理を実行する。ここで、取引代金額の入金に必要な処理とは、電話回線等を介して、振込先口座、振込金額、振込日時等のファームバンキング（ＦＢ）情報を銀行に送信すること、または取引仲介システム１６の管理者である取引仲介業者が、カード会社の銀行口座へ振り込むために必要な情報を、出力装置２５からプリントアウトすること等をいう。
【００２６】
なお、取引情報処理システム２０は、後述する決済可否情報が決済可のときに、カード決済処理システム１２に取引の仲介手数料額の請求情報を出力して送付する。この請求情報は、カード決済処理システム１２を構成するカード決済情報処理システム１３により受信される。請求情報には、仲介手数料額の他、取引仲介業者名等を含ませてもよい。請求情報をカード決済処理システム１２に送付するには、ネットワークを介して請求情報を送信すること、または出力装置２５から請求情報をプリントアウトしてカード決済処理システム１２の管理者である高額物件販売業者に郵送すること等の方法が使用される。また、取引情報処理システム２０は、取引仲介システム１６が管理する取引仲介業者の銀行口座への上記仲介手数料額の入金を管理する。この入金管理は、人間が銀行口座を確認し、取引仲介システム１６に入金を確認した旨の入金確認情報を入力すること、または高額物件販売業者の銀行口座からの自動引落の可否等により行なわれる。
【００２７】
なお、仲介手数料額の決済方法としては、決済可否情報が決済可のときに、取引情報処理システム２０がカード決済処理システム１２に取引代金額の請求情報を出力し、その入金を上記の入金管理と同様にして確認したときに、取引代金額に取引情報処理システム２０が予め記憶している仲介手数料率を乗じた額または取引情報処理システム２０が予め記憶している所定の仲介手数料額を取引代金額から減算処理し、カード決済処理システム１２が管理する口座への減算処理後の金額の入金に必要な処理を実行する構成としてもよい。ここで、入金に必要な処理は、上述したカード会社の銀行口座への入金の場合と同様である。
【００２８】
ホストコンピュータ２２は、カード会社によって管理され、決済システム２４、取引代金請求システム２６、取引代金精算システム２８、特典付与システム３０及び記憶手段３２を備えている。
【００２９】
記憶手段３２は、カード会員番号、カード会員毎の与信限度額、カード決済手数料額又はカード決済手数料率及びカード会社がカード会員にカード取引額に応じて付与するサービスポイント等の特典に関する情報を記憶しているとともに、取引仲介システム１６から受信した取引情報を記憶するように構成されている。また、記憶手段３２には、上記の情報の他、前述したカード決済処理システム１２に関する属性情報、取引仲介システム１６に関する属性情報（取引仲介システム１６が設置された店舗名、取引仲介システム１６の管理者である店舗の代表者名、電話番号等）及びカード決済の可否を判定するための情報、例えばカード会員毎の購買日、支払状況、利用限度回数等も記憶されている。
【００３０】
決済システム２４は、取引仲介システム１６から受信した取引情報に含まれるカード会員番号に基づいて記憶手段３２から当該カード会員のカード決済の可否を判定するための情報を読み出し、カード取引毎にカード決済の可否の判定結果である決済可否情報を出力して取引仲介システム１６に送信する。この決済可否の判定において決済可とする条件に、取引情報に含まれる、カード会員１０が所定の手数料を含む取引代金額の現金を支払済みである場合を含ませてもよい。なお、取引仲介システム１６は、この決済可否情報をカード決済処理システム１２に送信し、カード決済処理システム１２の出力装置３４から決済可否情報がプリントアウト等により出力される。
【００３１】
また、決済システム２４は、取引情報に含まれるカード会員番号に基づいて当該カード会員の与信限度額を記憶手段３２から読出し、取引情報に含まれる取引代金額と与信限度額とを比較して取引代金額が与信限度額を超えているか否かを判定する。次に、取引代金額が与信限度額以内または与信限度額超過の判定結果である取引代金額判定情報を出力する。この取引代金額判定情報も取引仲介システム１６に送信される。
【００３２】
さらに、決済システム２４は、取引情報に含まれるカード決済処理システム１２のＩＤに基づき当該カード決済処理システム１２が与信限度額を超える高額物件のカード決済を許可された端末であるか否かの情報を記憶手段３２から読み出し、取引代金額が与信限度額超過の場合にそのカード決済を許可できるか否かを判定する。この判定結果も取引仲介システム１６に送信される。
【００３３】
次に、取引代金請求システム２６は、決済システム２４が出力した取引代金額判定情報が与信限度額超過であるときに、取引情報に含まれる取引代金額を読出して取引代金額の請求情報を出力する。この取引代金額の請求情報は、取引仲介システム１６の管理者である取引仲介業者に対してカード取引された取引代金額を請求するためのものであり、取引仲介システム１６に送付される。この場合の送付とは、取引代金請求システム２６が取引仲介システム１６へネットワークを介して請求情報を送信すること、又は出力装置３６から請求情報をプリントアウトして取引仲介業者に郵送すること等をいう。なお、この取引代金額には、記憶手段３２に記憶されたカード決済手数料額又はカード決済手数料率を読み出して、カード決済手数料額又は取引代金額にカード決済手数料率を乗じた額を含めてもよい。
【００３４】
取引仲介システム１６に上記請求情報が送付されると、前述した取引代金額の入金に必要な処理が実行され、カード会社の銀行口座への取引代金額の入金処理が行われる。この入金は取引代金請求システム２６によって管理される。入金の管理は、人間が銀行口座を確認し、ホストコンピュータ２２に入金確認情報を入力することにより行ってもよいし、取引仲介システム１６が管理する取引仲介業者の銀行口座からの自動引落の可否で行ってもよい。このように、カード会社の銀行口座への取引代金額の入金処理が行われると、与信限度額を超える高額物件の取引につき現金決済が行われることになるので、カード会社がカード会員の信用リスクを負わずに高額決済取引に関与できることになる。
【００３５】
取引代金精算システム２８は、取引代金請求システム２６が取引代金額の入金を確認したときに、記憶手段３２に記憶されたカード決済手数料額又はカード決済手数料率を読み出し、そのカード決済手数料額又は取引代金額にカード決済手数料率を乗じた額を取引代金額から減算処理した後、取引代金額の入金者である取引仲介業者の銀行口座へ、減算処理後の金額を入金するために必要な処理を実行する。この場合の減算処理後の金額の入金に必要な処理も、取引情報処理システム２０による取引代金額の入金に必要な処理の場合と同様に、ファームバンキング（ＦＢ）情報を銀行に送信すること、またはカード会社の担当者が、取引仲介業者の銀行口座へ振り込むために必要な情報を、出力装置３６からプリントアウトすること等をいう。これにより、カード会社が取引仲介業者の銀行口座へ上記減算処理後の金額を振り込むと、カード会社はカード決済手数料を確保することができる。
【００３６】
次に、特典付与システム３０は、取引代金請求システム２６が前述した取引代金額の入金を確認したときに、カード会員１０に予め定められた特典サービスを受ける権利を付与する情報を記憶手段３２に記憶させる。特典サービスとは、カード取引代金額に応じて付与されるサービスポイント等である。この特典サービスを受ける権利を付与する情報は、カード会員１０毎に記憶手段３２に記憶され、カード会員１０から請求があったとき等に、所定の特典が与えられる。
図３及び図４には、本実施形態にかかる与信限度額を超える高額物件のカード決済方法のフローが示される。なお、図３と図４とは一連の動作のフローを示しており、図のＡ、Ｂの点で接続されている。本実施形態では、通常のクレジットカード等でカード決済ができない高額物件の取引を、一旦別の決済方法、例えば現金により決済は済ませておき、その後カードを用いてカード決済処理システム１２で再度決済を行う。その場合、決済を行った証である取引情報を取引仲介システム１６を介してホストコンピュータ２２に送信し、カード決済処理を行う。
【００３７】
図３、図４において、まず、取引仲介業者が管理または利用している取引仲介システム１６において、前述したカード決済処理システム１２に関する属性情報（カード決済処理システム１２が設置された店舗名、カード決済処理システム１２の管理者である店舗の代表者の氏名または名称、電話番号等のカード決済処理システム１２が設置された場所や利用者等を特定するのに必要な情報及びカード決済処理システム１２が与信限度額を超える高額物件のカード決済を許可された端末であるか否かの情報等）を取引情報処理システム２０の有する記憶装置に記憶させて登録をしておく（Ｓ２０１）。
【００３８】
また、上記カード決済処理システム１２に関する属性情報および取引仲介システム１６に関する属性情報（取引仲介システム１６が設置された店舗名、取引仲介システム１６の管理者である店舗の代表者名、電話番号等）は、ホストコンピュータ２２の記憶手段３２にも記憶させて登録しておく（Ｓ３０１）。
【００３９】
高額物件販売業者は、その店舗等に設置されているカード決済処理システム１２を用いてカード決済を行う（Ｓ１０１）。この場合、高額物件の決済は、高額物件の購入者であるカード会員（カード所持者）と高額物件販売業者との間で、別途現金等にて行われる。高額物件の価額には、所定の手数料を含んでいてもよい。
【００４０】
次に、カード取引に必要な取引情報をカード決済処理システム１２から取引仲介システム１６に送信する（Ｓ１０２）。この取引情報には、前述したように、カード会員番号、取引代金額及びカード決済処理システム１２のＩＤ等が含まれる。
【００４１】
Ｓ１０２で送信された取引情報は、取引仲介システム１６の取引情報中継システム１８で受信され、ホストコンピュータ２２に送信される。また、この取引情報は、取引情報処理システム２０の有する記憶装置に記憶される（Ｓ２０２）。
【００４２】
また、Ｓ２０２で送信された取引情報は、ホストコンピュータ２２にて受信され、記憶手段３２に記憶される（Ｓ３０２）。
【００４３】
ホストコンピュータ２２の決済システム２４は、受信した取引情報内にあるカード会員番号に基づいて記憶手段３２から当該カード会員のカード決済の可否を判定するための情報を読み出し、カード取引毎にカード決済の可否を判定して、その判定結果である決済可否情報を出力する（Ｓ３０３）。
【００４４】
次に、決済システム２４は、受信した取引情報内にあるカード決済処理システム１２のＩＤに基づき当該カード決済処理システム１２が与信限度額を超える高額物件のカード決済を許可された端末であるか否かの情報を記憶手段３２から読み出し、取引代金額が与信限度額超過の場合にそのカード決済を許可できるか否かを判定する（Ｓ３０４）。
【００４５】
判定の結果、高額物件の取扱を許可された端末であれば、決済システム２４は、取引情報に含まれるカード会員番号に基づいて当該カード会員の与信限度額を記憶手段３２から読出し、取引情報に含まれる取引代金額と与信限度額とを比較して取引代金額が与信限度額を超えているか否かを判定する（Ｓ３０５）。このとき、決済システム２４は、取引代金額が与信限度額以内であるか与信限度額超過であるかの判定結果である取引代金額判定情報を出力する。
【００４６】
取引代金額が与信限度額を超えている（取引代金額判定情報が与信限度額超過）場合には決済システム２４がカード決済処理を行う。このカード決済処理は、上記決済可否情報、カード決済処理システム１２につき与信限度額超過のカード決済を許可できるか否かの判定結果及び取引代金額判定情報を記憶手段３２に記憶させ、カードによる決済が可能となるようにする一連の処理をいう。なお、決済可否情報がカード会員のカード決済不可またはカード決済処理システム１２につき与信限度額超過のカード決済が不許可の場合には、カード決済処理はカードによる決済を不許可とする処理になる。また、決済可否情報、カード決済処理システム１２につき与信限度額超過のカード決済を許可できるか否かの判定結果及び取引代金額判定情報を含む上記カード決済処理の内容は、ホストコンピュータ２２から取引仲介システム１６に送信される（Ｓ３０６）。
【００４７】
Ｓ３０６で送信されたカード決済処理の内容を取引仲介システム１６が受信すると、カード決済処理システム１２のカード決済情報処理システム１３にその内容を送信するとともに取引情報処理システム２０の有する記憶装置に記憶させる（Ｓ２０３）。
【００４８】
Ｓ２０３で送信されたカード決済処理の内容をカード決済処理システム１２のカード決済情報処理システム１３で受信し、そのカード決済処理の内容が出力装置３４から出力（プリントアウト等）される（Ｓ１０３）。
【００４９】
一方、ホストコンピュータ２２の取引代金請求システム２６では、記憶手段３２に記憶されている取引情報に含まれる取引代金額を読出して、取引仲介システム１６の管理者である取引仲介業者に対してカード取引された取引代金額を請求するための取引代金額の請求情報を出力し、取引仲介システム１６に送付する（Ｓ３０７）。このように、取引代金額はカード会社から取引仲介業者に対して請求されるので、予め高額物件販売業者に所定の手数料を含む取引代金額の現金を支払済みのカード会員に対する２重取りを防止できる。
【００５０】
Ｓ２０２にて、取引情報処理システム２０の有する記憶装置に記憶された取引情報に関してホストコンピュータ２２から上記請求情報を送付されると、取引情報処理システム２０は、ホストコンピュータ２２が管理するカード会社の銀行口座への取引代金額の入金に必要な処理を実行する（Ｓ２０４）。
【００５１】
また、取引代金請求システム２６は、カード会社の銀行口座への取引代金額の入金を管理する（Ｓ３０８）。
【００５２】
取引代金請求システム２６が取引代金額の入金を確認すると、取引代金精算システム２８が記憶手段３２に記憶されたカード決済手数料額又はカード決済手数料率を読み出し、このカード決済手数料額又は取引代金額にカード決済手数料率を乗じた額を取引代金額から減算処理した後、取引仲介システム１６が管理する銀行口座への減算処理後の金額の入金に必要な処理を実行する（Ｓ３０９）。このように、取引仲介システム１６によりカード会社の銀行口座への取引代金額の入金に必要な処理が行われるので、与信限度額を超える高額物件の取引につき現金決済が行われ、カード会社がカード会員の信用リスクを負わずに高額決済取引に関与できる。さらに、カード会社がカード決済手数料を確保することもできる。
【００５３】
また、取引代金請求システム２６が取引代金額の入金を確認すると、特典付与システム３０は、カード会員（高額物件購入者）への特典付与処理を行う。この特典付与処理は、予め定められた特典サービスを受ける権利を付与する情報を記憶手段３２に記憶させることである。特典付与処理が行われると、カード会員に特典を付与したことを通知する。この通知は、出力装置３６により通知書類をプリントアウトし、これを郵送する等の方法で行う（Ｓ３１０）。
【００５４】
取引情報処理システム２０は、決済可否情報が決済可のときに、カード決済処理システム１２のカード決済情報処理システム１３に取引の仲介手数料額の請求情報を送付する（Ｓ２０５）。
【００５５】
取引情報処理システム２０は仲介手数料額が入金されたかを管理する。この入金管理は、取引仲介業者が銀行口座を確認し、取引仲介システム１６に入金確認情報を入力すること、または高額物件販売業者の銀行口座からの自動引落の可否等により行なわれる（Ｓ２０６）。
【００５６】
なお、仲介手数料額の決済方法としては、高額物件販売業者から取引代金額を入金してもらい、この取引代金額に取引情報処理システム２０が予め記憶している仲介手数料率を乗じた額または取引情報処理システム２０が予め記憶している所定の仲介手数料額を取引代金額から減算処理し、カード決済処理システム１２のカード決済情報処理システム１３が管理する口座への減算処理後の金額の入金に必要な処理を実行する構成としてもよい。
【００５７】
また、Ｓ３０４において、カード決済処理システム１２が高額物件の取扱を許可されたカード決済処理システムではないか、またはＳ３０５において決済額が与信限度額を超えていない場合は、決済システム２４において通常のカード決済処理を行い、決済結果を取引仲介システム１６に送信するとともに、記憶手段３２に決済結果を記憶させる（Ｓ３１１）。なお、カード決済処理システム１２が高額物件の取扱を許可されたカード決済処理システムではなく、決済額が与信限度額を超えている場合には、カード決済を許可しない旨の情報を取引仲介システム１６に送信し、取引仲介システム１６が、この情報をカード決済処理システム１２のカード決済情報処理システム１３に送信する。
【００５８】
次に、取引代金請求システム２６が記憶手段３２に記憶されている決済結果に基づきカード会員に対してカード利用額の請求書を作成し、送付する（Ｓ３１２）。この送付は、所定の請求書を出力装置３６からプリントアウトし、郵送すること及びインターネットを介することなどで行われる。また、この場合、取引代金精算システム２８により、カード決済を行ったカード決済処理システム１２の管理者の銀行口座へ、カード手数料額を減算処理後の取引代金額を入金するために必要な処理を実行する。この処理は、Ｓ３０９と同様である。
【００５９】
カード会社は、カード会員又はカード会員の代理人（高額物件販売業者、取引仲介業者など予めカード会社が認めた者）からカード利用額が入金されたことを確認する。この確認は、Ｓ３０８と同様に、取引代金請求システム２６により行ってもよいＳ３１３）。
【００６０】
また、取引代金額の入金が確認されると、特典付与システム３０は、カード会員への特典付与処理を行う。その後、カード会員に特典を付与したことを通知する（Ｓ３１０）
以上により、本実施形態にかかる与信限度額を超える高額物件のカード決済方法の工程が終了する。
【００６１】
実施形態２．
図５には、本発明の実施形態２にかかる与信限度額を超える高額物件のカード決済システムの全体図が示される。図５において、カード取引を行うためのカード決済処理システム１２と、カード取引を管理するホストコンピュータ２２とがネットワーク１０１に接続されている。このネットワーク１０１としては、公衆回線網又は専用回線等で構成するクローズネットワークが使用される。また、本実施形態では、カード決済処理システム１２とホストコンピュータ２２との間の取引情報を中継する取引情報中継システム１８を使用することもできる。この場合、ホストコンピュータ２２と取引情報中継システム１８とを上記ネットワーク１０１に接続し、カード決済処理システム１２と取引情報中継システム１８とをネットワーク１００に接続してもよい。ネットワーク１００としては、公衆回線網、インターネット等の既存のネットワークを使用できる。
【００６２】
図６は、本発明にかかる与信限度額を超える高額物件のカード決済システムの実施形態２を示す構成のブロック図であり、図２と同一要素には同一符号が付されている。図５において、カード決済処理システム１２とホストコンピュータ２２とがネットワーク１００（図１参照）に接続されており、取引仲介業者の管理する取引仲介システム１６を介さずに情報をやり取りする構成となっている点が図２の例と異なる。ただし、各構成要素の動作は、取引仲介システム１６が無い点を除いて図２の場合と同様である。また、図５に示されるように、カード決済処理システム１２とホストコンピュータ２２との間で取引情報を中継する取引情報中継システム１８を、取引仲介システム１６の代わりに配置してもよい。
【００６３】
図７、図８には、本実施形態にかかる与信限度額を超える高額物件のカード決済方法のフローが示される。なお、図７と図８とは一連の動作のフローを示しており、図のＣ、Ｄの点で接続されている。
【００６４】
まず、カード決済処理システム１２に関する属性情報（カード決済処理システム１２が設置された店舗名、カード決済処理システム１２の管理者である店舗の代表者の氏名または名称、電話番号等のカード決済処理システム１２が設置された場所や利用者等を特定するのに必要な情報及びカード決済処理システム１２が与信限度額を超える高額物件のカード決済を許可された端末であるか否かの情報等）を、カード会社のホストコンピュータ２２の記憶手段３２に記憶させて登録しておく（Ｓ３５１）。
【００６５】
なお、取引情報中継システム１８を配置する場合には、上記カード決済処理システム１２に関する属性情報を取引情報中継システム１８に記憶させて登録をしておくように構成してもよい（Ｓ２５１）。図７、図８の実施形態では、取引情報中継システム１８を配置した場合が示されているが、取引情報中継システム１８を使用せず、カード決済処理システム１２とホストコンピュータ２２との間で直接情報をやり取りしてもよい。
【００６６】
高額物件販売業者は、その店舗等に設置されているカード決済処理システム１２を用いてカード決済を行う（Ｓ１５１）。この場合、高額物件の決済は、高額物件の購入者であるカード会員（カード所持者）と高額物件販売業者との間で、別途現金等にて行われる。高額物件の価額には、所定の手数料を含んでいてもよい。
【００６７】
次に、カード取引に必要な取引情報をカード決済処理システム１２のカード決済情報処理システム１３から取引情報中継システム１８に送信する。なお、取引情報は、直接ホストコンピュータ２２に送信するようにしてもよい（Ｓ１５２）。この取引情報には、前述したように、カード会員番号、取引代金額及びカード決済処理システム１２のＩＤ等が含まれる。
【００６８】
Ｓ１５２で送信された取引情報は、取引情報中継システム１８で受信され、ホストコンピュータ２２に送信される（Ｓ２５２）。
【００６９】
Ｓ２５２で送信された取引情報は、ホストコンピュータ２２にて受信され、記憶手段３２に記憶される（Ｓ３５２）。
【００７０】
ホストコンピュータ２２の決済システム２４は、受信した取引情報内にあるカード会員番号に基づいて記憶手段３２から当該カード会員のカード決済の可否を判定するための情報を読み出し、カード取引毎にカード決済の可否を判定して、その判定結果である決済可否情報を出力する（Ｓ３５３）。
【００７１】
次に、決済システム２４は、受信した取引情報内にあるカード決済処理システム１２のＩＤに基づき当該カード決済処理システム１２が与信限度額を超える高額物件のカード決済を許可された端末であるか否かの情報を記憶手段３２から読み出し、取引代金額が与信限度額超過の場合にそのカード決済を許可できるか否かを判定する（Ｓ３５４）。
【００７２】
判定の結果、高額物件の取扱を許可された端末であれば、決済システム２４は、取引情報に含まれるカード会員番号に基づいて当該カード会員の与信限度額を記憶手段３２から読出し、取引情報に含まれる取引代金額と与信限度額とを比較して取引代金額が与信限度額を超えているか否かを判定する（Ｓ３５５）。このとき、決済システム２４は、取引代金額が与信限度額以内であるか与信限度額超過であるかの判定結果である取引代金額判定情報を出力する。
【００７３】
取引代金額が与信限度額を超えている（取引代金額判定情報が与信限度額超過）場合には決済システム２４がカード決済処理を行う。このカード決済処理は、上記決済可否情報、カード決済処理システム１２につき与信限度額超過のカード決済を許可できるか否かの判定結果及び取引代金額判定情報を記憶手段３２に記憶させ、カードによる決済が可能となるようにする一連の処理をいう。なお、決済可否情報がカード会員のカード決済不可またはカード決済処理システム１２につき与信限度額超過のカード決済が不許可の場合には、カード決済処理はカードによる決済を不許可とする処理になる。また、決済可否情報、カード決済処理システム１２につき与信限度額超過のカード決済を許可できるか否かの判定結果及び取引代金額判定情報を含む上記カード決済処理の内容は、ホストコンピュータ２２から取引情報中継システム１８に送信される（Ｓ３５６）。
【００７４】
Ｓ３５６で送信されたカード決済処理の内容は、取引情報中継システム１８からカード決済処理システム１２のカード決済情報処理システム１３に送信される（Ｓ２５３）。なお、カード決済処理の内容は、ホストコンピュータ２２からカード決済処理システム１２のカード決済情報処理システム１３に直接送信してもよい。
【００７５】
Ｓ２５３で送信されたカード決済処理の内容をカード決済処理システム１２で受信し、そのカード決済処理の内容が出力装置３４から出力（プリントアウト等）される（Ｓ１５３）。
【００７６】
一方、ホストコンピュータ２２の取引代金請求システム２６では、記憶手段３２に記憶されている取引情報に含まれる取引代金額を読出して、カード決済処理システム１２の管理者である高額物件販売業者に対してカード取引された取引代金額を請求するための取引代金額の請求情報を出力し、カード決済処理システム１２に送付する（Ｓ３５７）。ここで、送付とは、取引代金請求システム２６が取引情報中継システム１８を経由して、または直接カード決済処理システム１２のカード決済情報処理システム１３にネットワークを介して請求情報を送信すること、出力装置３６から請求情報をプリントアウトして高額物件販売業者に郵送すること等をいう。このように、取引代金額はカード会社から高額物件販売業者に対して請求されるので、予め高額物件販売業者に所定の手数料を含む取引代金額の現金を支払済みのカード会員に対する２重取りを防止できる。
【００７７】
カード決済処理システム１２が発信した取引情報に関してホストコンピュータ２２から上記請求情報を送付されると、カード決済情報処理システム１３が、ホストコンピュータ２２により管理されるカード会社の銀行口座への取引代金額の入金に必要な処理を実行する（Ｓ１５４）。取引代金額の入金に必要な処理の内容は、実施形態１において、取引情報処理システム２０が実行する動作と同じである。
【００７８】
また、取引代金請求システム２６は、カード会社の銀行口座への取引代金額の入金を管理する（Ｓ３５８）。この入金の管理は、人間が銀行口座を確認し、ホストコンピュータ２２に入金確認情報を入力することにより行ってもよいし、カード決済処理システム１２のカード決済情報処理システム１３が管理する高額物件販売業者の銀行口座からの自動引落の可否で行ってもよい。
【００７９】
取引代金請求システム２６が取引代金額の入金を確認すると、取引代金精算システム２８が記憶手段３２に記憶されたカード決済手数料額又はカード決済手数料率を読み出し、このカード決済手数料額又は取引代金額にカード決済手数料率を乗じた額を取引代金額から減算処理した後、カード決済処理システム１２のカード決済情報処理システム１３が管理する銀行口座への減算処理後の金額の入金に必要な処理を実行する（Ｓ３５９）。この場合の入金に必要な処理は、ファームバンキング（ＦＢ）情報を銀行に送信すること、またはカード会社の担当者が、高額物件販売業者の銀行口座へ振り込むために必要な情報を、出力装置３６からプリントアウトすること等をいう。このように、カード決済処理システム１２のカード決済情報処理システム１３によりカード会社の銀行口座への取引代金額の入金に必要な処理が行われるので、与信限度額を超える高額物件の取引につき現金決済が行われ、カード会社がカード会員の信用リスクを負わずに高額決済取引に関与できる。さらに、カード会社がカード決済手数料を確保することもできる。
【００８０】
また、取引代金請求システム２６が取引代金額の入金を確認すると、特典付与システム３０は、カード会員（高額物件購入者）への特典付与処理を行う。この特典付与処理は、予め定められた特典サービスを受ける権利を付与する情報を記憶手段３２に記憶させることである。特典付与処理が行われると、カード会員に特典を付与したことを通知する。この通知は、出力装置３６により通知書類をプリントアウトし、これを郵送する等の方法で行う（Ｓ３６０）。
【００８１】
次に、Ｓ３５４において、カード決済処理システム１２が高額物件の取扱を許可されたカード決済処理システムではないか、またはＳ３５５において決済額が与信限度額を超えていない場合は、決済システム２４において通常のカード決済処理を行い、決済結果を取引情報中継システム１８に送信するとともに、記憶手段３２に決済結果を記憶させる（Ｓ３６１）。なお、カード決済処理システム１２が高額物件の取扱を許可されたカード決済処理システムではなく、決済額が与信限度額を超えている場合には、カード決済を許可しない旨の情報を取引情報中継システム１８に送信する。取引情報中継システム１８は、受信した情報をカード決済処理システム１２に送信する。なお、上記情報は、取引情報中継システム１８を介さず、直接カード決済処理システム１２に送信してもよい。
【００８２】
次に、取引代金請求システム２６が記憶手段３２に記憶されている決済結果に基づきカード会員に対してカード利用額の請求書を作成し、送付する（Ｓ３６２）。この送付は、所定の請求書を出力装置３６からプリントアウトし、郵送すること及びインターネットを介することなどにより行われる。また、この場合、取引代金精算システム２８により、カード決済を行ったカード決済処理システム１２の管理者の銀行口座へ、カード手数料額を減算処理後の取引代金額を入金するために必要な処理を実行する。この処理は、Ｓ３５９と同様である。
【００８３】
カード会社は、カード会員又はカード会員の代理人（高額物件販売業者、取引仲介業者など予めカード会社が認めた者）からカード利用額が入金されたことを確認する。この確認は、Ｓ３５８と同様に、取引代金請求システム２６により行ってもよい（Ｓ３６３）。
【００８４】
また、取引代金額の入金が確認されると、特典付与システム３０は、カード会員への特典付与処理を行う。その後、カード会員に特典を付与したことを通知する（Ｓ３６０）
以上により、本実施形態にかかる与信限度額を超える高額物件のカード決済方法の工程が終了する。
【００８５】
【発明の効果】
以上説明したように、本発明によれば、与信限度額を超える高額物件につきカード取引が行われたときに、取引仲介システムまたはカード決済処理システムとホストコンピュータとの間で現金決済が行われるので、カード会社がカード会員の信用リスクを負う必要がなくなる。このため、カード会社は与信限度額を超える高額物件につきカードによる決済をリスクを負わずに認めることが可能となる。また、カード会員に対する取引代金額の２重取りを防止できる。さらに、カード会員は、与信限度額を超える取引代金額に対応する特典サービスを受けることができる。
【００８６】
また、取引仲介システムがカード決済処理システムに取引の仲介手数料額の請求情報を送り、かつその入金を管理することにより、又は取引代金額を受け取り、これに仲介手数料率を乗じた額または所定の仲介手数料額を取引代金額から減算処理した金額をカード決済処理システムに返すことにより、仲介手数料の決済の管理を簡易に行うことができる。
【００８７】
また、カード決済処理システムが与信限度額を超える高額物件のカード決済を許可された端末であるか否かをホストコンピュータ側で判断できるので、カード取引の安全を確保することができる。
【図面の簡単な説明】
【図１】本発明の実施形態１にかかる与信限度額を超える高額物件のカード決済システムの全体図である。
【図２】実施形態１にかかる構成のブロック図である。
【図３】実施形態１にかかる与信限度額を超える高額物件のカード決済方法のフローを示す図である。
【図４】実施形態１にかかる与信限度額を超える高額物件のカード決済方法のフローを示す図である。
【図５】本発明の実施形態２にかかる与信限度額を超える高額物件のカード決済システムの全体図である。
【図６】実施形態２にかかる構成のブロック図である。
【図７】実施形態２にかかる与信限度額を超える高額物件のカード決済方法のフローを示す図である。
【図８】実施形態２にかかる与信限度額を超える高額物件のカード決済方法のフローを示す図である。
【符号の説明】
１０  カード会員、１１  カード決済用端末、１２  カード決済処理システム、１３  カード決済情報処理システム、１４  入力装置、１６  取引仲介システム、１８  取引情報中継システム、２０  取引情報処理システム、２２  ホストコンピュータ、２４  決済システム、２５、３４、３６  出力装置、２６  取引代金請求システム、２８  取引代金精算システム、３０  特典付与システム、３２  記憶手段。
【図１】
2004348621.tif 000003
【図２】
2004348621.tif 000004
【図３】
2004348621.tif 000005
【図４】
2004348621.tif 000006
【図５】
2004348621.tif 000007
【図６】
2004348621.tif 000008
【図７】
2004348621.tif 000009
【図８】
2004348621.tif 000010